(57)【特許請求の範囲】
【請求項１】
水と低温液化ガスとを接触せしめて発生した白煙が、付香されてなる芳香白煙。
【請求項２】
芳香成分含有水と低温液化ガスとを接触せしめて白煙を発生させることを特徴とする芳香白煙発生方法。
【請求項３】
芳香成分含有水の噴霧粒子と低温液化ガスの噴霧粒子とを混合接触せしめて白煙を発生させることを特徴とする請求項２記載の芳香白煙発生方法。
【請求項４】
低温液化ガス供給手段と、芳香成分含有水供給手段と、
前記低温液化ガス供給手段に接続された液化ガス噴霧ノズル及び前記芳香成分含有水供給手段に接続された芳香成分含有水噴霧ノズルとが配設された接触槽と、前記芳香成分含有水を加熱する加熱手段とを具備してなることを特徴とする芳香白煙発生装置。
【請求項５】
上記接触槽内に芳香成分含有水が収容され、該接触槽内の芳香成分含有水が上記芳香成分含有水噴霧ノズルに供給されるとともに、上記接触槽内へ芳香剤濃縮液を供給する芳香剤供給手段を具備してなることを特徴とする請求項４記載の芳香白煙発生装置。
【請求項６】
空気を送気する送風手段と、
該送風手段に連結された輸送用配管と、
前記送風手段により輸送用配管内に導入された空気を加熱する加熱手段と、
前記輸送配管内で芳香成分含有水を噴霧するノズルと、
前記輸送配管内で低温液化ガスを噴霧するノズルとを具備してなることを特徴とする芳香白煙発生装置。
【発明の詳細な説明】
【０００１】
【産業上の利用分野】
本発明は、広範囲にわたって芳香雰囲気を得るのに有効に用いられる芳香性を有する白煙を発生させる技術に関する。
【０００２】
【従来の技術】
従来の、芳香剤を用いて芳香雰囲気を得る方法は、芳香溶液を噴霧する方法や、芳香成分を固体に担持させて空気中に拡散させる方法であった。
【０００３】
【発明が解決しようとする課題】
しかしながらこれらの方法では、比較的小さい空間においては芳香雰囲気を得やすいが、広範囲に芳香雰囲気を形成しようとすると、芳香成分の拡散状況を確認することができないため、大量の芳香剤を使用しなければならなといった欠点があった。
本発明は上記事情に鑑みてなされたもので、芳香成分の拡散状況を視覚的に確認でき、少量の芳香剤を用いて広範囲に芳香雰囲気を作り出せるようにした芳香白煙およびその発生方法および装置を提供することを目的とするものである。
【０００４】
【課題を解決するための手段】
上記課題を解決するために、請求項１の発明は、水と低温液化ガスとを接触せしめて発生した白煙が、付香されてなる芳香白煙である。
このような芳香白煙は、芳香成分含有水と低温液化ガスとを接触せしめて白煙を発生させることによって得ることができる。
あるいは、芳香成分含有水の噴霧粒子と低温液化ガスの噴霧粒子とを混合接触せしめて白煙を発生させてもよい。
請求項４の発明は、低温液化ガス供給手段と、芳香成分含有水供給手段と、
前記低温液化ガス供給手段に接続された液化ガス噴霧ノズル及び前記芳香成分含有水供給手段に接続された芳香成分含有水噴霧ノズルとが配設された接触槽と、前記芳香成分含有水を加熱する加熱手段とを具備してなることを特徴とする芳香白煙発生装置である。
上記接触槽内に芳香成分含有水が収容され、該接触槽内の芳香成分含有水が上記芳香成分含有水噴霧ノズルに供給されるように構成することができ、この場合には上記接触槽内へ芳香剤濃縮液を供給する芳香剤供給手段が好ましく設けられる。
請求項６の発明は、空気を送気する送風手段と、該送風手段に連結された輸送用配管と、前記送風手段により輸送用配管内に導入された空気を加熱する加熱手段と、前記輸送配管内で芳香成分含有水を噴霧するノズルと、前記輸送配管内で低温液化ガスを噴霧するノズルとを具備してなることを特徴とする芳香白煙発生装置である。
【０００５】
【作用】
本発明の請求項１記載の芳香白煙は、低温液化ガスと水を接触せしめて発生した白煙が付香されてなるもので、これによって芳香成分の拡散状況を視覚的に確認でき、小量の芳香剤を用いて広範囲に芳香雰囲気を作り出すことができる。
このような芳香白煙は、芳香成分を含有する水と低温液化ガスを接触せしめることによって発生させることができる。
また芳香成分含有水と、低温液化ガスとをそれぞれ噴霧した状態で混合接触させると、効率よく芳香白煙を得ることができ、また芳香成分の制御を行い易い。
本発明の請求項４記載の芳香白煙発生装置は、低温液化ガス供給手段と、芳香成分含有水供給手段と、前記低温液化ガス供給手段に接続された液化ガス噴霧ノズル及び前記芳香成分含有水供給手段に接続された芳香成分含有水噴霧ノズルとが配設された接触槽と、前記芳香成分含有水を加熱する加熱手段とを具備してなり、接触槽内で、噴霧された低温液化ガスと芳香成分含有水とが接触して芳香成分を含む白煙が発生する。
また上記接触槽内に芳香成分含有水が収容され、該接触槽内の芳香成分含有水が上記芳香成分含有水噴霧ノズルに供給されるように構成するとともに、上記接触槽内へ芳香剤濃縮液を供給する芳香剤供給手段を設けることによって、接触槽内の芳香成分含有水の濃度を増大させることができ、これによって白煙中の芳香成分濃度を増大させることができる。
本発明の請求項６記載の芳香白煙発生装置は、空気を送気する送風手段と、該送風手段に連結された輸送用配管と、前記送風手段により輸送用配管内に導入された空気を加熱する加熱手段と、前記輸送配管内で芳香成分含有水を噴霧するノズルと、前記輸送配管内で低温液化ガスを噴霧するノズルとを具備してなり、
輸送配管内を送気される温風が、芳香成分含有水の噴霧粒子を含んだ状態で、低温液化ガスの噴霧粒子と接触混合されることにより、芳香白煙が発生する。
【０００６】
【実施例】
以下、本発明の実施例を示して詳しく説明する。
図１は本発明に係る芳香白煙発生装置の第１の実施例を示すものであり、この芳香白煙発生装置１は、液体窒素供給手段２と、芳香成分含有水（以下、単に芳香水と略気する）供給手段３と、液体窒素噴霧ノズル４及び芳香水噴霧ノズル５が配設された接触槽６と、該接触槽６の上部に設けられた白煙放出口７と、芳香剤供給手段４０とを備えて概略構成されている。
【０００７】
液体窒素供給手段２は、液体窒素を収容した液体窒素貯槽９と、この液体窒素貯槽９から供給される液体窒素を接触槽６内に配設された液体窒素噴霧ノズル４へ導くための管路１１と、この管路１１に介在された電磁弁１２および調節弁１３とを備えて概略構成されている。
【０００８】
芳香水供給手段３は、接触槽６の底部に開口端を有し、該接触槽６内に配置された複数の芳香水噴霧ノズル５に接続された管路２２と、この管路２２に介在されたポンプ２３とを備えて概略構成されている。この芳香水供給手段３は、ポンプ２３を駆動することにより、接触槽６内で好ましくは２０〜８０℃程度に加熱された芳香水２４を、接触槽６底部から管路２２を通して芳香水噴霧ノズル５に供給し、該ノズル５から芳香水を噴出するようになっている。
【０００９】
接触槽６には、槽内に収容された芳香水２４を加熱するためのヒータ２５および温度調節手段５０が設けられている。
また、接触槽６の側面６ａには液面計２８が設けられ、槽内の芳香水２４を補給するための給水管２６および排水用の排水管２７が連結された循環流路が形成されている。
この接触槽６の上部には、接触槽６内で発生した芳香白煙を放出する放出口７が設けられている。この例において放出口７は先端部がエルボ等を用いて水平方向に向けられた管体で形成されており、芳香白煙は水平方向へ放出されるようになっている。
放出口７は、合成樹脂管のようなフレキシブルチューブを用いて構成することも可能であり、又、水平方向のみならず垂直方向に向けて形成してもよい。さらに放出口７の先端を複数に分岐させることもよく、そうすれば、他方向に向かって芳香白煙を放出することができる。また、水平方向に向かって開口する放出口７を、その垂直軸を中心として回転させるように構成してもよい。
【００１０】
芳香剤供給手段４０は、芳香剤濃縮液を収容した芳香剤貯槽４１と、この芳香溶液貯槽４１から供給される芳香剤濃縮液を接触槽６内に導くための管路４３と、この管路４３に介在された芳香剤供給電磁弁４２とを備えている。
【００１１】
次ぎに、上記構成の芳香白煙発生装置１を用いて、芳香白煙を発生させる方法について説明する。
まず接触槽６内に１０〜１００ｍｇ／リットルの濃度に調製した芳香水を入れる。この芳香水は、芳香成分を例えば懸濁液、混合液または水溶液の状態で含有する水であれば任意のものを用いることができる。一般に芳香成分は油溶性のものが多く、溶剤としてアルコール等が用いられることが多い。このような芳香成分の溶液を水中に添加すると一部は溶解し、大部分は水中に懸濁液または混合液の状態で存在する。一般的な芳香臭としては、ローズ、ジャスミン、ラベンダー、キンモクセイ等の花の香りや、檜等の木の香りや、柑橘系の香り等が、香水、入浴剤、芳香剤等に用いられており、本発明における芳香成分としてもこれらの芳香臭のものを好ましく用いることができる。
次いで、ヒータ２５によって接触槽６内の芳香水の温度を好ましくは２０〜８０℃程度とし、芳香水供給手段３のポンプ２３を駆動して、接触槽６内に配置した複数の溶液噴霧ノズル５から噴出する。
そして、液体窒素供給手段２の電磁弁１２を開放するとともに、調節弁１３で供給量を調節して、液体窒素を接触槽６内に配設した液体窒素噴霧ノズル４から噴出させる。
ここで、調節弁１３により液体窒素の噴霧量を加減することによって白煙の発生量を調節することができる。
【００１２】
液体窒素噴霧ノズル４から噴出した液体窒素は、接触槽６に充満していた芳香水の噴霧粒子と接触して白煙を発生するとともに、芳香成分を同伴して、芳香白煙となって放出口７から放出される。
また芳香溶液貯槽４１内には、接触槽６内の芳香水よりも高濃度で芳香成分を含有する芳香剤の濃縮液が収容されており、芳香剤供給手段４０の芳香剤供給電磁弁４２を開放して、芳香溶液貯槽４１から芳香剤の濃縮液を接触槽６に供給することによって、芳香白煙中の芳香成分の濃度を増大させることができる。
【００１３】
また、一般に白煙の特性は、白煙自体の温度によって変化し、例えば高温の白煙は上昇煙となり、低温の白煙は下降煙となる傾向がある。したがって、芳香白煙を漂わせたり、立ち昇らせたりと、使用される状況に応じた仕様の芳香白煙を発生させることができる。
したがって芳香白煙は、芳香雰囲気を得るためだけでなく、各種の劇、ショー、イベントなどに用いることができ、演出を多様に発展させることが可能となる。
さらに、液体窒素の供給圧力、および液体から気体への相変化に伴う体積膨張による推進力などにより、芳香白煙の拡散が促進され、広範囲に芳香雰囲気を好適に作り出すことができる。また芳香成分の拡散状態を、白煙の状態として視覚的に確認することができる。
【００１４】
なお上記の例では、芳香水と液体窒素とを噴霧状態で接触させる例を示したが、このような方法に限定されるものではなく、単に芳香水と液体窒素とを接触せしめるだけでも十分な芳香白煙が形成されることは勿論である。
また上記の例では、芳香水を噴霧する場合を示したが、水だけが噴霧されるノズルと、液体の芳香剤が噴霧されるノズルとを、それぞれ接触槽６に設け、これらの噴霧粒子が接触槽６内の空間で混合されるようにしてもよい。
【００１５】
さらに芳香溶液噴霧ノズル５と液体窒素噴霧ノズル４とのそれぞれの開口の配置は特に限定されることなく、例えばこれらの開口を対向して配置したり、芳香水と液体窒素とを並流させたり、或いは一方の噴霧流中に他方の噴霧流を角度をもって合流させるように各ノズル４，５を配置してもよい。
【００１６】
図２は本発明の芳香白煙発生装置の第２の実施例を示したものである。この例の芳香白煙発生装置６１は、芳香水の噴霧粒子を含む温風Ｍと、液体窒素Ｒとを送風機構により接触させることによって芳香白煙を発生させるものである。図２中、符号６２は空気Ｅを輸送配管６３内に導入する送気用ブロワである。そしてこのブロワ６２には、その送気機構を十分に発揮し、さらに以下に述べる各反応を円滑に行なうべく、延長接続形成された輸送配管６３が連結されている。
【００１７】
輸送配管６３内で、かつブロワ６２に最も近い位置には、ブロワ６２によって輸送配管６３内に導入された空気Ｅを加熱するためのヒーター６４が設けられている。ヒーター６４は、温度調節器６４ａとともに用いられ、温度調節を行ないつつ、ブロワ６２より送気されてくる空気Ｅを加熱して通風Ｎとしている。
【００１８】
輸送配管６３内のヒーター６４の次には、前記ヒーター６４によって加熱された温風Ｎ中に、芳香水を噴霧するための芳香水噴霧機構６５が設けられている。この噴霧機構６５は、給水管６５ｂより芳香水またはそのスチームを送り、これを輸送配管６３内に設けられた給水ノズル６５ｃから噴出させることにより、ブロワ６２よりヒーター６４を通って送風されてきた温風Ｎ中に噴霧粒子を分散させるものである。また、給水ノズル６５ｃより噴出される芳香水またはそのスチームの量は前記給水管６５ｂの途中に設けられた給水バルブ６５ａにより調整できるようになっている。
なお、芳香水噴霧機構６５は、ブロワ６２の入口に設けて、予め空気中に分散するようにしても同様の効果が期待できる。
【００１９】
芳香水噴霧機構６５により、芳香水の噴霧粒子が分散された温風Ｍの送風方向で、かつ芳香水噴霧機構６５の隣には、輸送配管６３の外方に設けられた液体窒素貯槽６６より液体窒素輸送管６６ｂを通って供給される液体窒素を噴出する液体窒素噴出ノズル６７が設けられている。また液体窒素輸送管６６ｂには液体窒素供給バルブ６６ａが設けられている。
さらに、輸送配管６３の開口には芳香白煙放出口６８が形成されている。
【００２０】
この例の装置６１を用いて芳香白煙Ｗを発生させるには、まず、空気Ｅをブロワ６２により輸送配管６３内に導入し、空気Ｅをヒーター６４で加熱する。この際、温風Ｎの温度は温度調節器６４ａで制御され、好ましくは２０〜８０℃に設定される。
次いで芳香水噴霧機構６５の給水バルブ６５ａを開放して、温風Ｎ中に芳香水を噴出させるとともに、液体窒素供給バルブ６６ａを開放して、液体窒素噴出ノズル６７から液体窒素Ｒを噴出させる。
ここで、供給される芳香水は、その濃度が好ましくは１０〜１００ｍｇ／リットルとなるように調製される。
このようにして芳香水の噴霧粒子を含んだ温風Ｍと液体窒素Ｒとが接触混合されることによって芳香白煙が発生し、白煙放出口６８から放出される。
【００２１】
本実施例によれば、液体窒素の加熱源として温風を利用することにより、発生する芳香白煙は、加熱源として供給された温風と液体窒素の気化ガスとが加算された状態で噴出されることになる。よって所定の量の芳香白煙を得るのに必要な液体窒素の量を低減させることができる。また発生した芳香白煙はブロワに送気されているので、流速が大きく、拡散速度も大きい。また本実施例の装置は、比較的コンパクトに設計することができる。
尚、本実施例では、芳香水を噴霧する例を示したが、水だけが噴霧されるノズルと、液体の芳香剤が噴霧されるノズルとを、それぞれ輸送配管６３内に設け、それぞれの噴霧粒子が温風Ｎと混合されるようにしてもよい。
【００２２】
図３は本発明の芳香白煙発生装置の第３の実施例を示したものである。この例の芳香白煙発生装置７１は、芳香水噴霧ノズル８２と液体窒素噴霧ノズル７３とが対向して設けられているものである。
図３中符号７２は接触槽である。接触槽７２内には芳香水が収容されており、側面７２ａには液面計７６と給水管７７が設けられている。また接触槽７２の底部より芳香水を抜き出し、接触槽７２の液面上に噴霧する循環噴霧手段８１が設けられている。
【００２３】
この循環噴霧手段８１は、接触槽７２の外方に設けられた配管８４、８５、および循環ポンプ８３と、接触槽７２内であって、液面よりも上方に設けられた芳香水噴霧ノズル８２とから概略構成されている。
また液体窒素貯槽８０から供給される液体窒素を噴出する液体窒素噴霧ノズル７３が、接触槽７２内であって、液面よりも上方に、かつ上記芳香水噴霧ノズル８２と対向して設けられている。
さらに接触槽７２には、芳香水を加熱し、保温するためのヒーター７５と、発生する芳香白煙を、接触槽７２の外方へ放出させる放出口７４が設けられている。
【００２４】
この装置７１を用いて芳香白煙を発生させるには、接触槽７２内に芳香水を入れ、ヒータ７５によってこれを加熱、保温するとともに、ポンプ８３を駆動して芳香水噴霧ノズル８２から噴出させる。
そして、液体窒素貯槽８０のバルブを開放して、液体窒素を接触槽７２内に配設した液体窒素噴霧ノズル７３から噴出させる。
芳香水噴霧ノズル８２と液体窒素噴霧ノズル７３とは互いに対向して配置されているので、芳香水と液体窒素とが交差して接触することによって芳香白煙が発生し、放出口７４から放出される。
【００２５】
本実施例によれば、芳香水と液体窒素とがはげしく接触し、十分に混合されるので、消費される液体窒素に対して効率よく芳香白煙が得られる。
尚、本実施例の装置７１に上記第１の実施例と同様に、芳香剤供給手段４０を設けてもよい。この場合には、芳香剤の濃縮液を接触槽７２に供給して、芳香白煙中の芳香成分の濃度を増大させることができる。
【００２６】
図４は、本発明の芳香白煙発生装置の第４の実施例を示したものである。本実施例の芳香白煙発生装置８１は、上記第３の実施例において、接触槽７２の代わりに、放出口７４が設けられた容器８５を用いたものである。
そして、容器８５内で、別途に設けたボイラ８６等で加温された芳香水を芳香水噴霧ノズル８２から噴出させるとともに、この芳香水噴霧ノズル８２と対向して配設された液体窒素噴霧ノズル７３に液体窒素貯槽８０から液体窒素が供給され、噴霧されるように構成されている。
【００２７】
本実施例によれば、噴霧ノズル８２、７３からそれぞれ噴出される芳香水と液体窒素とが交差接触することにより、効率よく芳香白煙が発生される。
また接触槽７２の加熱や芳香水の循環が不要となり、装置を簡略化することができる。
さらに芳香水噴霧ノズル８２および液体窒素噴霧ノズル７３をそれぞれ複数個設け、これらのノズル８２、７３を、これらから噴出される芳香剤水と液体窒素とが各方向で交差するように配置すると、より接触効果が高められ芳香白煙の発生効率を向上させることができる。
【００２８】
尚、上記の第１〜４の実施例では低温液化ガスの例として液体窒素を挙げて説明したが、本発明は液体窒素に限定されることなく、液化炭酸ガス、液化アルゴン、液体空気等、低温液化ガスであるならば各種のものを使用し得る。
【００２９】
【発明の効果】
以上説明したように、本発明の請求項１記載の芳香白煙は、低温液化ガスと水を接触せしめて発生した白煙が付香されてなるものである。
したがって、本発明の芳香白煙を用いることにより、少量の芳香剤で広範囲に芳香雰囲気を作り出すことができる。また芳香成分の拡散状態を白煙の拡散状態として視覚的に認めることができる。
さらに、本発明の芳香白煙を、各種の劇、ショー、イベントなどに好適に用いることによって、白煙による視覚的効果に加えて芳香による臭覚的効果も得られるので、多様な演出に発展させることができ、よりリアルなイメージを得ることができる。またリクライゼーション広場等にも好適に用いることができ、気分をやわらげる等の効果が得られる。
このような本発明の芳香白煙は、芳香成分含有水と低温液化ガスとを接触せしめて白煙を発生させることによって得ることができる。
【００３０】
また本発明の請求項４記載の芳香白煙発生装置は、低温液化ガス供給手段と、芳香成分含有水供給手段と、前記低温液化ガス供給手段に接続された液化ガス噴霧ノズル及び前記芳香成分含有水供給手段に接続された芳香成分含有水噴霧ノズルとが配設された接触槽と、前記芳香成分含有水を加熱する加熱手段とを具備してなり、接触槽内で、噴霧された低温液化ガスと芳香成分含有水とが接触して芳香成分を含む白煙が発生する。
また本発明の請求項６記載の芳香白煙発生装置は、空気を送気する送風手段と、該送風手段に連結された輸送用配管と、前記送風手段により輸送用配管内に導入された空気を加熱する加熱手段と、前記輸送配管内で芳香成分含有水を噴霧するノズルと、前記輸送配管内で低温液化ガスを噴霧するノズルとを具備してなり、輸送配管内を送気される温風が、芳香成分含有水の噴霧粒子を含んだ状態で、低温液化ガスの噴霧粒子と接触混合されることにより、芳香白煙が発生する。
【図面の簡単な説明】
【図１】本発明による芳香白煙発生装置の第１の実施例を示す構成図である。
【図２】本発明による芳香白煙発生装置の第２の実施例を示す構成図である。
【図３】本発明による芳香白煙発生装置の第３の実施例を示す構成図である。
【図４】本発明による芳香白煙発生装置の第４の実施例を示す構成図である。
【符号の説明】
１、６１、７１、８１……芳香白煙発生装置、
２……液体窒素（低温液化ガス）供給手段、
３……芳香成分含有水供給手段、
４……液体窒素（低温液化ガス）噴霧ノズル、
５……芳香成分含有水噴霧ノズル、６……接触槽、
２４……芳香成分含有水、２５……ヒーター（加熱手段）、
４０……芳香剤供給手段、４１……芳香剤濃縮液、
６２……ブロワ（送風手段）、６３……輸送要配管、
６４……ヒーター（加熱手段）、６５ｃ……芳香成分含有水噴霧ノズル、
６７……液体窒素（低温液化ガス）噴霧ノズル。
【図１】
0003617546.tif 000002
【図２】
0003617546.tif 000003
【図３】
0003617546.tif 000004
【図４】
0003617546.tif 000005